(57)【要約】【課題】累積点灯時間が短く管内のガスが安定していない新品のランプを調光点灯させた場合でも、安定した点灯状態を維持できるようにする。【解決手段】放電灯に高周波電力を供給する高周波電源と、前記放電灯の調光制御を行なう調光制御手段とを備えた低光束調光点灯のための放電灯点灯装置において、放電灯の累積点灯時間を監視する点灯時間監視部と、所定の累積点灯時間内は調光点灯の下限範囲を制限する制御手段を設けて、累積点灯時間に応じて段階的に調光点灯の下限範囲を切り替える。放電灯の照度パラメータ、熱的パラメータなどを検出する手段を付加して、これらのパラメータに応じて調光点灯の下限範囲を制限する累積点灯時間の設定値を可変させる。【選択図】図１
2006278011.tif 000002
【特許請求の範囲】
【請求項１】
放電灯に高周波電力を供給する高周波電源と、前記放電灯の調光制御を行なう調光制御手段とを備えた低光束調光点灯のための放電灯点灯装置において、放電灯の累積点灯時間を監視する点灯時間監視部と、所定の累積点灯時間内は調光点灯の下限範囲を制限する制御手段を設けたことを特徴とする放電灯点灯装置。
【請求項２】
前記制御手段は、累積点灯時間に応じて段階的に調光点灯の下限範囲を切り替えることを特徴とする請求項１記載の放電灯点灯装置。
【請求項３】
放電灯の点灯状態の電気的パラメータを検出する放電灯検出手段を備え、前記制御手段は、前記電気的パラメータに応じて調光点灯の下限範囲制限を切り替えることを特徴とする請求項１または２記載の放電灯点灯装置。
【請求項４】
放電灯の照度パラメータを検出する照度検出手段を備え、前記制御手段は、前記照度パラメータに応じて調光点灯の下限範囲を制限する累積点灯時間の設定値を可変させることを特徴とする請求項１〜３のいずれかに記載の放電灯点灯装置。
【請求項５】
放電灯の熱的パラメータを検出する温度検出手段を備え、前記制御手段は、前記熱的パラメータに応じて調光点灯の下限範囲を制限する累積点灯時間の設定値を可変させることを特徴とする請求項１〜３のいずれかに記載の放電灯点灯装置。
【請求項６】
放電灯のちらつきを検出する検出手段を備え、前記制御手段は、ちらつきを検出すると調光レベルを高い方に変化させることを特徴とする請求項１〜３のいずれかに記載の放電灯点灯装置。
【請求項７】
放電灯の電気的な異常パラメータを検出する放電灯異常検出手段を備え、前記制御手段は、前記異常パラメータに応じて前記累積点灯時間をリセットすることを特徴とする請求項１記載の放電灯点灯装置。
【請求項８】
請求項１〜７のいずれかに記載の放電灯点灯装置と、放電灯点灯装置を装着する本体と、放電灯点灯装置から電力が供給される放電灯とを備えたことを特徴とする照明装置。
【発明の詳細な説明】
【技術分野】
【０００１】
本発明は、放電灯を調光点灯可能な放電灯点灯装置及びこれを用いた照明装置に関するものである。
【背景技術】
【０００２】
図９は従来の放電灯点灯装置（特開平５−３２６１８５号）の回路ブロック図である。この放電灯点灯装置は、放電灯２１に第１のインピーダンス素子Ｚ１を介して高周波電力を供給する高周波電源２２と、放電灯２１に第２のインピーダンス素子Ｚ２を介して直流電力を供給する直流電源２５とを備える低光束調光点灯のための放電灯点灯装置において、周囲温度を検出する温度検出部２６と、温度検出部２６により検出された周囲温度に応じて前記直流電力を低温時に増加させる調光制御部２３とを設けたものである。
【０００３】
この放電灯点灯装置にあっては、低光束調光時の放電を維持できるレベルの直流電力を高周波電力に重畳して放電灯に印加するようにしたものであるから、放電灯の立ち消えやちらつきを無くし、放電灯を低光束域まで安定に調光制御することができるものであり、さらに、温度検出部を設けて、低温での低光束点灯時に直流重畳電力を増加させるようにしたので、低温での低光束点灯時においても、放電灯の立ち消えやちらつきを生じることがなく、安定した点灯状態を維持することができるという効果がある。
【特許文献１】特開平５−３２６１８５号公報
【発明の開示】
【発明が解決しようとする課題】
【０００４】
しかしながら、従来の技術では、不安定状態のランプ、例えば、累積点灯時間が短く、管内のガスが安定していない新品のランプ、あるいは消灯時間が長く、管内に不純物が存在する状態のランプを上記構成の点灯装置により調光制御して低光束点灯状態にした場合、ランプが安定状態となるまで期間、低光束調光点灯状態でのランプの電気特性（ランプ電流、ランプ電圧等）、照度、点灯装置の入力電力は不安定であり、上記構成の点灯装置において充分に安定点灯させることが難しいという欠点があった。
【課題を解決するための手段】
【０００５】
本発明にあっては、上記の課題を解決するために、放電灯に高周波電力を供給する高周波電源と、前記放電灯の調光制御を行なう調光制御手段とを備えた低光束調光点灯のための放電灯点灯装置において、放電灯の累積点灯時間を監視する点灯時間監視部と、所定の累積点灯時間内は調光点灯の下限範囲を制限する制御手段を設けたことを特徴とするものである。
【発明の効果】
【０００６】
本発明によれば、ランプの不安定状態の期間、点灯装置による低光束調光点灯レベルをランプが安定点灯を行える調光レベルまで上昇させる制御を行うことにより、累積点灯時間が短く管内のガスが安定していない新品のランプあるいは消灯時間が長く管内に不純物が存在する状態のランプを調光点灯させた場合でも、安定した点灯状態を維持することができるという効果がある。また、累積点灯時間が長くなり低光束調光点灯状態においてもランプが安定点灯できる状態となれば、低光束調光点灯レベルを所定のレベルにまで降下させる制御を行うものであるから、点灯装置本来の低光束調光制御機能を発揮することができるという効果がある。
【発明を実施するための最良の形態】
【０００７】
（実施形態１）
図１は本発明の実施形態１の回路図である。この放電灯点灯回路１は、商用電源ＡＣを高周波に変換して蛍光ランプＦＬを点灯させる電子バラスト回路であり、大別して、力率改善回路２と、電力変換回路３と、制御回路４から構成される。
【０００８】
まず、力率改善回路２は周知の昇圧型チョッパ回路であり、商用電源ＡＣに接続されたダイオードブリッジＤＢと、その整流出力端に並列接続されたチョッパーチョークＬ１とスイッチング素子Ｑ１の直列回路と、スイッチング素子Ｑ１の両端にチョッパーダイオードＤ１を介して並列接続された平滑用のコンデンサＣ１から構成される。スイッチング素子Ｑ１が高周波でオンオフされることで、商用電源ＡＣからの入力力率が改善されると共に、整流出力を昇圧した直流電圧が平滑用のコンデンサＣ１の両端に得られる。
【０００９】
また、電力変換回路３は周知のハーフブリッジインバータ回路であり、コンデンサＣ１の両端に並列接続されたスイッチング素子Ｑ２，Ｑ３の直列回路を備え、スイッチング素子Ｑ３の両端には、コンデンサＣ２と予熱トランスＴ１の直列回路、共振チョークＬ２と共振コンデンサＣ３の直列回路が並列接続されている。コンデンサＣ２、予熱トランスＴ１の直列回路は、蛍光ランプＦＬのフィラメントに予熱電流を供給する予熱共振回路であり、予熱トランスＴ１の２次側巻線、端子ｄ，ｅ、予熱コンデンサＣ５と高圧側フィラメントの閉回路と、予熱トランスＴ１の３次側巻線、端子ｆ，ｇ、予熱コンデンサＣ６と低圧側フィラメントの閉回路により、ランプＦＬの両端フィラメントに電力供給する。また、共振チョークＬ２と共振コンデンサＣ３は、蛍光ランプＦＬを安定点灯させるための共振回路であり、共振コンデンサＣ３の両端には、直流カットコンデンサＣ４を介して蛍光ランプＦＬが接続されている。
【００１０】
各スイッチング素子Ｑ１〜Ｑ３は、制御回路４内の制御用ＩＣ５（例えば、新電元製ＭＣＺシリーズ）の端子ａ，ｂ，ｃより出力される駆動信号により駆動される。この制御用ＩＣ５は、力率改善回路２のスイッチング素子Ｑ１を高周波でスイッチングすることで、入力電流歪を抑制しながら、電力変換回路３のスイッチング素子Ｑ２，Ｑ３を高周波で交互にオンオフすることで、蛍光ランプＦＬを点灯させる。また、調光信号入力端子を備え、調光レベルを決定する調光信号（一般的に１ＫＨｚの矩形波のオン・デューティ比の値）により、所望の調光レベルを実現するように各スイッチング素子Ｑ１〜Ｑ３を制御するものである。
【００１１】
制御回路４は、制御用のマイコン（ＭＰＵ）６を備えている。マイコン６は調光信号出力部６３より調光信号を出力する。その調光信号の可変範囲は累積点灯時間が短い期間では、低光束調光点灯時の下限を高くするように設定される。
【００１２】
例えば、商用電源ＡＣのラインより、ダイオードＤ２、抵抗Ｒ１，Ｒ２より構成される通電検出回路により、通電の有無をマイコン６の通電検知部６１により検知させ、マイコン６内のカウンタ部６２にて通電時間の累積カウンタをカウントする。このカウンタ部６２によりカウントされる累積点灯時間が所定時間に満たない期間では、調光信号出力部６３より出力可能な調光信号の低光束調光点灯時の下限が高くなるように設定される。なお、制御回路４に外部から与えられる調光信号は、例えば、可変抵抗器により設定されたアナログ電圧をマイコン６で読み取るような構成であっても良いし、リモコン受信部からマイコン６に入力されるような構成であっても良い。
【００１３】
また、マイコン６には、寿命末期検出等のランプ異常検出回路の出力が接続されている。例えば、図２に示す例では、ダイオードＤ３、抵抗Ｒ４，Ｒ５、コンデンサＣ７よりなる回路でランプ電圧を検出し、検出電圧が閾値電圧Ｖｒを越えると、コンパレータＣＰ１の出力が反転する。ここに例示したようなランプ異常検出回路がランプ電圧の異常を検出すると、マイコン６は出力停止等の保護動作を行なう。
【００１４】
図３に周囲温度が２５℃の場合について、数十本のＦＨＤ８５ランプのランプ電圧、ランプ電流、照度、入力電力の時間的推移の特性を示す。図中、◆は低光束調光点灯時の特性、■は定格点灯時の特性である。
【００１５】
この図３を見れば、例えばエージング時間が０時間において、特にランプ電圧、照度において、ランプの個体差によるばらつきが大きいことは、測定結果より明白である。また、ランプ電流、入力電力もエージング時間の長い測定データと比較してばらつきは大きい。そして、エージング時間を５時間、１５時間、５０時間と長くすると、ランプの個体差ばらつきは小さくなることが分かる。
【００１６】
これらの測定結果より、ランプ電圧、ランプ電流、照度、入力電力とエージング時間との関係の特性から、ランプが安定するまでの点灯時間は、例えばＦＨＤ８５ランプの特性では１５時間〜５０時間程度かかると考えられ、それ以下であると各ランプ特性は不安定状態であり、前記各電気特性はばらつき、低光束調光点灯時において、ランプ点灯時のちらつき、始動失敗等の原因となる。
【００１７】
ランプのエージング時間が短い間にランプが安定点灯しづらい理由として、ランプの製造工程において、ランプの管内部に不純物が混入し、これら不純物により放電が不安定となる。そして、放電灯の点灯直後から、不純物は徐々に管壁に付着していき、これら現象によりランプは安定点灯する方向になる。
【００１８】
しかしながら、ランプを長時間点灯させないで放置すると、ランプの管壁に付着している不純物が徐々にランプ管内に戻り、ランプを安定点灯しづらい状態となる。
【００１９】
ランプの不安定状態では、ランプの各電気特性のばらつきが大きいため、例えばランプ異常を検出する検出回路（図２参照）により、ランプ電圧のばらつきにより、特に低光束調光点灯時においては、良品のランプにもかかわらず不安定な時間領域にてランプ寿命末期として誤検出する可能性がある。
【００２０】
ランプが安定する点灯時間、例えばＦＨＤ８５の特性より１５時間〜５０時間程度以上となると、各ランプ特性は安定状態となり、ランプ電気特性のばらつき幅が小さくなることが分かる。
【００２１】
そこで、カウンタ部６２によりカウントされる通電累積時間が、ランプが安定点灯する累積時間、例えばＦＨＤ８５の特性より１５時間〜５０時間程度以下の場合、低光束調光レベルであると、ランプ特性にばらつきが大きく、ランプが不安定となるため、低光束調光点灯時、ランプ特性のばらつきがある程度小さくなるまでの期間、安定点灯する調光レベル、例えばＦＨＤ８５の場合、調光レベルを約２０％程度以上となるように制限する。これら制御により、ランプが安定している状態で使用するため、ランプのちらつき、ランプ始動の失敗を回避するとともに、ランプ電圧が低いため、ランプ異常の誤検出を回避することも出来る。
【００２２】
そして、ランプが安定点灯する累積時間、例えばＦＨＤ８５の特性より１５時間〜５０時間程度以上となった場合、所望の調光下限レベルまでランプの調光範囲を広げることを可能とする。
【００２３】
これら制御により、ランプが不安定な期間においては、調光レベルを上げ、ランプが安定する期間においては、調光レベルを所望のレベルとすることにより、ランプ状態に関わらず調光時にランプを安定点灯する放電灯点灯装置を実現できる。
【００２４】
（実施形態２）
本実施形態の主回路構成は実施形態１と基本的に同じである。図３に示すランプの周囲温度が２５℃におけるランプ特性より、ＦＨＤ８５ランプの各電気特性は、エージング時間が０時間〜約５０時間にかけて安定する方向に向かっている。また、調光レベルがより低いレベルほど、ランプが安定点灯する時間が長くなる。
【００２５】
これらのランプ特性を考慮し、例えばＦＨＤ８５の場合、エージング時間が１５時間までの調光下限レベルは実施形態１と同様に調光レベル約２０％以上とする。その後、エージング時間が１５時間以上５０時間までの調光下限レベルは約１５％以上とし、エージング時間が５０時間以上では所望の調光レベル（約１５％未満）まで調光可能とする。
【００２６】
このように、ランプのエージング時間に応じて、安定点灯するランプの調光レベルが変化するため、その変化にあわせて、ランプの安定点灯可能な調光範囲を広げる方向に、調光下限レベルを時系列的に変化させる。
【００２７】
これら制御により、ランプ点灯時間から所望の期間内に調光下限レベルを段々と下げることを可能とし、ランプのエージング時間が短い期間においても調光範囲をより拡大し、安定点灯を可能とする放電灯点灯装置を実現できる。
【００２８】
（実施形態３）
本実施形態の回路構成は、実施形態１と基本的に同じであるが、図４に示すように、ランプ安定点灯状態を判別する回路７を接続した構成である。この判別回路７は、図２に示したランプ異常検出回路と同じ構成であり、全部または一部を兼用することが出来る。ただし、図２では閾値電圧Ｖｒが固定であったが、図４の判別回路７では、マイコン６により閾値電圧Ｖｒを可変となっている。
【００２９】
図４において、ランプの高圧側よりダイオードＤ３を介して抵抗Ｒ４，Ｒ５により分圧されたランプ電圧と、マイコン６の端子Ｐｏから出力されるランプＦＬの調光信号レベルに応じてそのランプＦＬが安定点灯状態であると判別する閾値電圧ＶｒをコンパレータＣＰ１にて比較する。コンパレータＣＰ１の出力はマイコン６の端子Ｐｉに接続される。上記閾値電圧Ｖｒは図３に示したランプ電圧特性により、エージング時間が１５〜５０時間以上におけるランプ電圧値より、各ランプのばらつきによるランプ電圧値を考慮に入れて設定する。
【００３０】
ランプ電圧の検出値Ｖｓと各調光レベルに応じた閾値電圧Ｖｒを比較し、仮に、Ｖｓ＞Ｖｒの場合、コンパレータＣＰ１の出力はＨレベルとなり、このＨレベル信号がマイコン６の端子Ｐｉに入力される。これより、マイコン６はランプが安定な点灯を行っていないと判断し、調光レベルの下限値を上げる。
【００３１】
次に、調光レベルが一つ上がり、マイコン６の端子Ｐｄより出力される調光信号の矩形波のオン・デューティが変化する。この信号を制御用ＩＣ５が受け、スイッチング素子Ｑ２，Ｑ３の駆動周波数を変化させ、ランプ出力を変化させる。
【００３２】
マイコンの端子Ｐｏより、ランプの調光レベルが高くなった時の閾値電圧Ｖｒ’が出力され、そのときの調光レベルのランプ電圧の分圧値Ｖｓ’と比較する。仮に、Ｖｒ’＞Ｖｓ’となると、その調光レベルでは安定点灯可能と判断し、その調光レベルでの点灯を維持する。
【００３３】
また、別の手段として、ランプのちらつきによるランプ電圧の非常に短い期間の変化を検出し、前記閾値電圧Ｖｒと比較して、ランプちらつき状態を有無を検出して、ランプちらつき状態を検出したならば、調光レベルを上げることにより、ちらつきを低減する効果があることは言うまでもない。
【００３４】
実施形態２では、点灯時間の累積カウンタによって、調光レベルの下限値を時系列的に変化させていたのに対し、本実施形態では、直接ランプの電気量を検出して、ランプの状態の判別を行い、安定点灯していなければ点灯状態が安定するまで調光レベルを高くすることを特徴とする。
【００３５】
また、図示実施形態では、比較した検出値はランプ電圧であるが、例えばランプに直列に検出抵抗を接続することによりランプ電流を検出する、もしくは入力端の電気特性、等の電気的な値を検出して、各検出値を各調光レベルの閾値と比較することにより、上記と同様の制御を行うようにしても、同様の結果が得られることは言うまでもない。
【００３６】
なお、上述のように、図４の判別回路７と図２のランプ異常検出回路の全部または一部を共有することは可能である。つまり、放電灯の電気的パラメータを検出する電気経路と、放電灯の異常パラメータを検出する電気経路とは同一であっても良い。
【００３７】
これら制御により、ランプの個体差によるランプが安定点灯するまでのエージング時間において、安定点灯するランプの低光束調光レベルに応じて適切な調光レベルに制御可能な放電灯点灯装置を実現できる。
【００３８】
（実施形態４）
本実施形態の回路構成は実施形態１と基本的に同じであり、構成の説明は省略する。本実施形態の検出回路部の構成を図５に示す。本実施形態の検出回路部は、ランプＦＬからある一定の距離に照度計８を設置し、前記照度計８の測定値を電圧値に変換する。
【００３９】
図３に示したエージング時間とランプ照度の関係より、ランプ照度はランプの点灯状態が不安定時な期間において、定格点灯時では、照度レベルは大きくばらつき、ランプの安定点灯時よりも照度は大きくなるが、調光レベルを低くしたときは逆に、ランプ安定点灯時の照度と比較し、エージング時間が短い期間の照度値は小さくなる方にばらつきが大きくなるため、特に低光束調光時において、ランプの調光レベルに応じた閾値よりランプ照度が小さい場合、ランプの調光比を大きくし、ランプが安定点灯状態となるまで調光比を高くする。
【００４０】
また、ランプ最冷点の温度、もしくはランプ周辺温度が低い場合にはランプの照度も異なり、ランプの点灯状態も不安定となるため、上記と同様の回路構成、制御方法により、低温状態においてもランプの調光レベルを安定した点灯状態を維持するように制御可能な放電灯点灯装置を実現できる。
【００４１】
（実施形態５）
本実施形態の主回路構成は実施形態３と基本的に同じであるので、重複する説明は省略する。本実施形態の検出回路部を図６に示す。本実施形態の検出回路部は、ランプの最零点温度測定ポイントもしくは任意の管壁温度、ランプの周囲温度を温度計９にて測定し、前記温度計９の測定値を電圧値に変換して、マイコン６の温度入力端子に入力する。
【００４２】
図７に、低温時（周囲温度：０℃）のエージング時間と各ランプ特性を示す。これより、ランプの安定点灯状態のランプ特性は、周囲温度により大きく変化することが明白である。
【００４３】
そこで、実施形態３と同様に、ランプが安定状態にあるかを判別する各電気特性の閾値を、低温時において、図７に準じてランプが安定状態にあるかを判別する各電気特性の閾値を変化させる必要がある。
【００４４】
具体的には、例えば、図６に示すように、ランプＦＬの近傍に熱電対Ｔｐを配置して検出された温度情報より、それに合致するランプが安定状態にあるかを判別する各電気特性の閾値を選定し、マイコン６により図４の閾値電圧Ｖｒを可変制御する。その後の制御は実施形態３と同様である。
【００４５】
このように、ランプ最冷点の温度等により、ランプの調光レベルに応じた閾値を選定し、ランプの温度が低い場合でもランプの点灯状態が安定点灯であるかの判別を正確に行い、安定点灯させることが可能な放電灯点灯装置を実現できる。
【００４６】
（実施形態６）
本実施形態の回路構成は実施形態１と基本的に同じであり、構成の説明は省略する。また、本実施形態のフィラメント有無検出回路の構成を図２に示す。本実施形態では、上記検出回路部がランプ電圧異常検出回路であり、ランプ寿命末期時にランプ異常として検出がかかり、ランプ不点となる。本検出回路による異常検出信号をマイコン６に入力し、本信号により点灯累積カウンタのカウント値を自動的にリセットすることを特徴とする。
【００４７】
本実施形態により、点灯装置のランプを新品ランプに取り替えたときに、自動的に認識し、点灯累積カウンタのカウント値をリセットし、ランプ累積点灯時間が短い期間において、実施形態１〜５と同様の制御を行うことが可能な放電灯点灯装置を実現できる。
【００４８】
（実施形態７）
本実施形態の回路構成は実施形態６と基本的に同じであり、構成の説明は省略する。ランプのエージング時間が短い間にランプが安定点灯しづらい理由として、ランプの製造工程においてランプの管内部に不純物が混入し、これら不純物により放電が不安定となることが挙げられる。そして、放電灯の点灯直後から不純物は徐々に管壁に付着していき、これら現象によりランプは安定点灯する方向になる。
【００４９】
しかしながら、ランプを長時間点灯させないで放置すると、ランプの管壁に付着している不純物が徐々にランプ管内に戻り、ランプを安定点灯しづらい状態となる。例えば、ＦＨＤ８５においては、約２週間程度放置することにより、低温時、低光束調光における放電灯の安定点灯が困難になるランプも存在する。
【００５０】
これらの状況に対応するために、予めランプ消灯時間カウンタを設け、連続して例えば２週間以上不点のまま放置された場合、累積点灯カウンタを自動的にリセットする機能を追加したのが本実施形態である。
【００５１】
本実施形態のランプ消灯時間カウンタは、例えば図１の構成を用いて実現可能であり、マイコン６の通電検知部６１が最後に通電を検知してから所定時間（例えば２週間）にわたり通電検知部６１が通電を検知しなければ、カウンタ部６２の累積点灯時間のカウント値をリセットすれば良い。
【００５２】
本実施形態により、長時間ランプが点灯されない状態の場合、ランプが安定点灯する可能性が低くなるため、累積点灯時間をリセットし、ランプ累積点灯時間が短い期間において、実施形態１〜５と同様の制御を行うことが可能な放電灯点灯装置を実現できる。
【００５３】
（実施形態８）
図８に実施形態８の照明装置の構成を示す。本実施形態は家庭用の天井直付形照明装置である。図８において、１０は本体シャーシ、１１は透光カバー、１２は反射板、１３は放電灯点灯装置、ＬＡ１は、例えばＦＨＤ７０、８５、１００等の環状２重管ランプである。本体シャーシ１０は、円形の浅皿状をなし、天井に取り付ける手段を具備し、透光カバー１１を装着可能な機構を具備する。反射板１２は、極力浅く形成され、ランプＬＡ１の発光をなるべく透光カバー１１の面の輝度が均一になるように反射する形状に成形されている。放電灯点灯装置１３は、実施形態１〜７のいずれかに記載の構成からなり、本体シャーシ１０および反射板１２の間に形成される空間内に配置される。透光カバー１１は、本体シャーシ１０の下面に備え付けられ、ランプＬＡ１、反射板１２を包囲している。
【００５４】
本実施形態において、実施形態１〜７のいずれかに記載の放電灯点灯装置を具備することにより、各実施形態に記載された効果を有する照明装置を提供できる。
【図面の簡単な説明】
【００５５】
【図１】本発明の実施形態１の全体構成を示す回路図である。
【図２】本発明の実施形態１の異常検出回路の構成を示す回路図である。
【図３】本発明の実施形態１の常温時の特性を示す説明図である。
【図４】本発明の実施形態２の要部構成を示す回路図である。
【図５】本発明の実施形態４の要部構成を示す回路図である。
【図６】本発明の実施形態５の要部構成を示す回路図である。
【図７】本発明の実施形態５の低温時の特性を示す説明図である。
【図８】本発明の照明装置の概略構成を示す図であり、（ａ）は斜視図、（ｂ）は側断面図である。
【図９】従来例の構成を示すブロック図である。
【符号の説明】
【００５６】
１  放電灯点灯回路
２  力率改善回路
３  電力変換回路
４  制御回路
５  制御用ＩＣ
６  マイコン（ＭＰＵ）
７  判別回路
８  照度計
９  温度計
【図１】
2006278011.tif 000003
【図２】
2006278011.tif 000004
【図３】
2006278011.tif 000005
【図４】
2006278011.tif 000006
【図５】
2006278011.tif 000007
【図６】
2006278011.tif 000008
【図７】
2006278011.tif 000009
【図８】
2006278011.tif 000010
【図９】
2006278011.tif 000011